(57)【特許請求の範囲】
【請求項１】
信号の通過帯域の異なる複数の回路素子を有し、前記複数の回路素子のそれぞれについて、前記信号を入力または出力する入出力端子が複数設けられているマルチフィルタ部と、
前記信号の送受信用の送受信端子とＧＮＤ端子とを有し、前記複数の回路素子における前記入出力端子の接続先を、前記送受信端子または前記ＧＮＤ端子に切り替えるスイッチ部とを備え、
前記複数の回路素子のうちの第１の回路素子において、前記入出力端子の少なくとも一つは、前記複数の回路素子のうちの前記第１の回路素子と異なる第２の回路素子において基準電位となるべき端子に接続された共通端子であり、
前記スイッチ部は、前記第２の回路素子の前記入出力端子の一つを前記送受信端子と接続する場合、前記共通端子の接続先を前記ＧＮＤ端子に切り替える
高周波モジュール。
【請求項２】
前記スイッチ部は、前記第１の回路素子の前記入出力端子を前記送受信端子に接続する場合、前記第２の回路素子の前記入出力端子を開放状態とする
請求項１に記載の高周波モジュール。
【請求項３】
前記スイッチ部は、前記第１の回路素子の前記入出力端子を前記送受信端子に接続する場合、前記第２の回路素子の前記入出力端子を前記ＧＮＤ端子に接続する
請求項１に記載の高周波モジュール。
【請求項４】
前記回路素子は、弾性表面波フィルタである
請求項１〜３のいずれか１項に記載の高周波モジュール。
【請求項５】
前記弾性表面波フィルタは、少なくとも１つの直列腕共振子と少なくとも１つの並列腕共振子とで構成されたラダー型フィルタ回路であり、
前記並列腕共振子の少なくとも一つにおいて基準電位となるべき端子は、前記共通端子に接続されている
請求項４に記載の高周波モジュール。
【請求項６】
前記複数の回路素子は、同一チップ上に形成されている
請求項１〜５のいずれか１項に記載の高周波モジュール。
【請求項７】
前記マルチフィルタ部は、同一チップ上に、異なる組み合わせの前記第１の回路素子および前記第２の回路素子の組を複数有し、前記複数の異なる組み合わせの前記第１の回路素子および前記第２の回路素子における前記第１の回路素子のそれぞれは、前記共通端子を有する
請求項１〜６のいずれか１項に記載の高周波モジュール。
【請求項８】
請求項１〜７のいずれか１項に記載の高周波モジュールを複数備えた
マルチプレクサ。
【請求項９】
請求項１〜７のいずれか１項に記載の高周波モジュールにおいてマルチフィルタ部として使用される
マルチフィルタ。
【発明の詳細な説明】
【技術分野】
【０００１】
本発明は、高周波モジュール、マルチプレクサおよびマルチフィルタに関する。
【背景技術】
【０００２】
近年、通信用高周波モジュールの小型化およびマルチバンド化のために、一つのチップ上に複数のフィルタ回路を形成した高周波モジュール等が開発されている（例えば、特許文献１参照）。特許文献１に記載の分波器では、アンテナ端子と複数のフィルタ回路との接続状態を切り替えることにより、送受信する周波数帯域に応じた任意のフィルタ回路を選択し、組み合わせている。これにより、回路の設計を変更することなく、一つの高周波モジュールで複数の周波数帯域に対応することができる。
【先行技術文献】
【特許文献】
【０００３】
【特許文献１】特開２００６−１０８７３４号公報
【発明の概要】
【発明が解決しようとする課題】
【０００４】
しかし、一つのチップ（圧電基板）上に複数のフィルタ回路を形成する場合、十分なＧＮＤ端子数を得られないことが問題となる。【０００５】
特許文献１に記載の分波器では、上述したように、スイッチによってフィルタ回路への接続状態を切り替えることにより、使用する系（周波数帯域）を切り替えている。このとき、使用されないフィルタの入力端子は、ＧＮＤに接続されておらず、電気的に浮いた状態（いわゆるＨＯＴ端子）となっている。したがって、当該分波器では、フィルタ回路の入力端子を束ねる必要がなくなるものの、チップ上に必要なＨＯＴ端子の数が増えるといったデメリットがある。【０００６】
ＨＯＴ端子が独立している（束ねられていない）フィルタを一つのチップ上に複数形成する場合には、フィルタの数の２倍の数のＨＯＴ端子が必要となる（アンバランス型フィルタの場合、バランス型フィルタの場合はフィルタの数の２倍以上の数のＨＯＴ端子が必要となる）。また、良好なフィルタ特性を得るには、ＧＮＤ端子の数は各フィルタに十分に割り当てられる数だけ必要である。しかし、チップサイズの制約から、一つのチップ上に配置することができる端子の数は限られるため、ＨＯＴ端子として割り当てる端子の数が多くなると、ＧＮＤ端子として割り当てる端子の数は少なくなる。例えば、８個の端子（バンプ）を有するチップに三つの独立したアンバランス型フィルタを形成する場合、ＨＯＴ端子として３×２＝６個の端子が割り当てられるため、ＧＮＤ端子は残りの２個（＝８−３×２）の端子しか割り当てることができない。そのため、良好なフィルタ特性とチップの小型化とを両立することは困難である。【０００７】
上記課題に鑑み、本発明は、良好なフィルタ特性と小型化とを両立することができる高周波モジュール、マルチプレクサおよびマルチフィルタを提供することを目的とする。
【課題を解決するための手段】
【０００８】
上記目的を達成するために、本発明にかかる高周波モジュールの一態様は、信号の通過帯域の異なる複数の回路素子を有し、前記複数の回路素子のそれぞれについて、前記信号を入力または出力する入出力端子が複数設けられているマルチフィルタ部と、前記信号の送受信用の送受信端子とＧＮＤ端子とを有し、前記複数の回路素子における前記入出力端子の接続先を、前記送受信端子または前記ＧＮＤ端子に切り替えるスイッチ部とを備え、前記複数の回路素子のうちの第１の回路素子において、前記入出力端子の少なくとも一つは、前記複数の回路素子のうちの前記第１の回路素子と異なる第２の回路素子において基準電位となるべき端子に接続された共通端子であり、前記スイッチ部は、前記第２の回路素子の前記入出力端子の一つを前記送受信端子と接続する場合、前記共通端子の接続先を前記ＧＮＤ端子に切り替える。【０００９】
これにより、第２の回路素子の並列腕共振子の基準電位となるべき端子を、共通端子に接続しているので、当該並列腕共振子の基準電位となるべき端子を、ＧＮＤ端子に接続することができる。これにより、高周波モジュールのフィルタ特性を良好な特性とすることができる。また、第２の回路素子の並列腕共振子の基準電位となるべき端子をＧＮＤ端子に接続するために新たに端子を設ける必要がないので、１つのチップにおける端子の数を変更することがない。したがって、高周波モジュールが大型になるのを抑制し、小型化を実現することができる。【００１０】
また、前記スイッチ部は、前記第１の回路素子の前記入出力端子を前記送受信端子に接続する場合、前記第２の回路素子の前記入出力端子を開放状態としてもよい。【００１１】
これにより、第１の回路素子および第２の回路素子のフィルタ特性を向上することができる。【００１２】
また、前記スイッチ部は、前記第１の回路素子の前記入出力端子を前記送受信端子に接続する場合、前記第２の回路素子の前記入出力端子を前記ＧＮＤ端子に接続してもよい。【００１３】
これにより、第１の回路素子および第２の回路素子のフィルタ特性を、さらに向上することができる。【００１４】
また、前記回路素子は、弾性表面波フィルタであってもよい。【００１５】
これにより、弾性表面波フィルタを用いた高周波モジュールについて、良好なフィルタ特性と小型化とを両立することができる。【００１６】
また、前記弾性表面波フィルタは、少なくとも１つの直列腕共振子と少なくとも１つの並列腕共振子とで構成されたラダー型フィルタ回路であり、前記並列腕共振子の少なくとも一つにおいて基準電位となるべき端子は、前記共通端子に接続されていてもよい。【００１７】
これにより、ラダー型の構成を有する弾性表面波フィルタについて、良好なフィルタ特性を実現することができる。【００１８】
また、前記複数の回路素子は、同一チップ上に形成されていてもよい。【００１９】
これにより、同一チップ上に形成された複数の回路素子について、チップ上に形成された端子を共通して使用することができる。したがって、高周波モジュールの小型化を実現することができる。【００２０】
また、前記マルチフィルタ部は、同一チップ上に、異なる組み合わせの前記第１の回路素子および前記第２の回路素子の組を複数有し、前記複数の異なる組み合わせの前記第１の回路素子および前記第２の回路素子における前記第１の回路素子のそれぞれは、前記共通端子を有してもよい。【００２１】
これにより、複数の回路素子を組み合わせて複数の共通端子を設けることにより、チップ上に形成された端子を複数の回路素子で共通して使用することができる。したがって、使用する端子の数を減少することができるので、高周波モジュールの小型化をより効果的に実現することができる。【００２２】
また、上記目的を達成するために、本発明にかかるマルチプレクサの一態様は、上記特徴を有する高周波モジュールを複数備えている。【００２３】
これにより、マルチプレクサにおける高周波モジュールのフィルタ特性を向上し、小型を実現することができるので、マルチプレクサ全体についてもフィルタ特性を向上し、小型化することができる。【００２４】
また、上記目的を達成するために、本発明にかかるマルチフィルタの一態様は、上記特徴を有する高周波モジュールにおいてマルチフィルタ部として使用されるフィルタである。【００２５】
これにより、マルチフィルタのみについても、フィルタ特性を向上し、小型化を実現することができる。
【発明の効果】
【００２６】
本発明によれば、良好なフィルタ特性と小型化とを両立することができる高周波モジュール、マルチプレクサおよびマルチフィルタを提供することができる。
【図面の簡単な説明】
【００２７】
【図１Ａ】図１Ａは、実施の形態１にかかる高周波モジュールの構成を示す概念図である。
【図１Ｂ】図１Ｂは、並列腕共振子の構成を示す概略図である。
【図１Ｃ】図１Ｃは、縦結合型のフィルタの構成の一例を示す概略平面図である。
【図２Ａ】図２Ａは、実施の形態１にかかる高周波モジュールにおいて、フィルタ３０ａを使用する場合のスイッチの接続例を示す図である。
【図２Ｂ】図２Ｂは、実施の形態１にかかる高周波モジュールにおいて、フィルタ３０ｂを使用する場合のスイッチの接続例を示す図である。
【図３Ａ】図３Ａは、実施の形態１にかかる高周波モジュールにおいて、フィルタ３０ａ（Ｂａｎｄ７）を使用する場合の回路構成を示す概略平面図である。
【図３Ｂ】図３Ｂは、実施の形態１にかかる高周波モジュールにおいて、フィルタ３０ｂ（Ｂａｎｄ３０）を使用する場合の回路構成を示す概略平面図である。
【図４Ａ】図４Ａは、比較例にかかる高周波モジュールの回路構成を示す概略平面図である。
【図４Ｂ】図４Ｂは、比較例にかかる高周波モジュールの回路構成を示す概略平面図である。
【図５】図５は、実施の形態１にかかる高周波モジュールおよび比較例にかかる高周波モジュールのＢａｎｄ７に関する通過特性を示す図である。
【図６】図６は、実施の形態１にかかる高周波モジュールおよび比較例にかかる高周波モジュールにおいて、フィルタ３０ａの端子を開放状態とした場合のＢａｎｄ３０に関する通過特性を示す図である。
【図７】図７は、実施の形態１にかかる高周波モジュールおよび比較例にかかる高周波モジュールにおいて、フィルタ３０ａの端子を開放状態とした場合のＢａｎｄ３０に関する反射特性を示す図である。
【図８】図８は、実施の形態２にかかる高周波モジュールにおいて、Ｂａｎｄ３０を使用する場合の回路構成を示す概略平面図である。
【図９】図９は、実施の形態２にかかる高周波モジュールにおいて、フィルタ３０ａの端子をＧＮＤ端子に接続した場合のＢａｎｄ３０に関する通過特性を示す図である。
【図１０】図１０は、実施の形態２にかかる高周波モジュールにおいて、フィルタ３０ａの端子をＧＮＤ端子に接続した場合のＢａｎｄ３０に関する反射特性を示す図である。
【図１１】図１１は、変形例にかかる高周波モジュールにおいて、Ｂａｎｄ７を使用する場合の回路構成を示す概略平面図である。
【図１２】図１２は、実施の形態３にかかる高周波モジュールにおいて、Ｂａｎｄ３８を使用する場合の回路構成を示す概略平面図である。
【図１３】図１３は、実施の形態３にかかる高周波モジュールにおいて、Ｂａｎｄ３０を使用する場合の回路構成を示す概略平面図である。
【発明を実施するための形態】
【００２８】
以下、本発明の実施の形態について説明する。なお、以下に説明する実施の形態は、いずれも本発明の好ましい一具体例を示すものである。したがって、以下の実施の形態で示される、数値、形状、材料、構成要素、構成要素の配置位置及び接続形態などは一例であって本発明を限定する主旨ではない。よって、以下の実施の形態における構成要素のうち、本発明の最上位概念を示す独立請求項に記載されていない構成要素については、任意の構成要素として説明される。
【００２９】
また、各図は、模式図であり、必ずしも厳密に図示されたものではない。各図において、実質的に同一の構成に対しては同一の符号を付しており、重複する説明は省略または簡略化する。
【００３０】
（実施の形態１）
以下、実施の形態について、図１Ａ〜図７を用いて説明する。
【００３１】
［１．高周波モジュールの構成］
はじめに、本実施の形態にかかる高周波モジュール１の一般的な構成について説明する。図１Ａは、本実施の形態にかかる高周波モジュール１の構成を示す概念図である。
【００３２】
図１Ａに示すように、本実施の形態にかかる高周波モジュール１は、アンテナ２に接続されており、例えばＬＴＥ（Ｌｏｎｇ  Ｔｅｒｍ  Ｅｖｏｌｕｔｉｏｎ）のＢａｎｄ７、Ｂａｎｄ３０およびＢａｎｄ３８等における上り周波数（送信帯域）および下り周波数（受信帯域）を通過帯域とするマルチフィルタである。高周波モジュール１は、スイッチ部１０とマルチフィルタ部２０とを備えている。
【００３３】
スイッチ部１０は、アンテナ２から送信する高周波信号またはアンテナ２により受信した高周波信号を所定の周波数帯域に対応したフィルタに分配するためのスイッチである。
【００３４】
スイッチ部１０は、端子１１ａ、１１ｂ、１２ａ、１２ｂおよび１２ｃを備えている。端子１１ａは、アンテナ２に接続されており、アンテナ２との間で信号の受信または送信が行われる端子である。つまり、端子１１ａは、本発明における送受信端子に相当する。端子１１ｂは、高周波モジュール１の実装基板（図示せず）のＧＮＤ端子に接続されている。
【００３５】
端子１２ａ、１２ｂおよび１２ｃは、後段のマルチフィルタ部２０に信号を出力する出力端子である。スイッチ部１０の端子１２ａ、１２ｂおよび１２ｃは、それぞれマルチフィルタ部２０の端子２１ａ、２１ｂおよび２１ｄに接続されている。
【００３６】
マルチフィルタ部２０は、例えば、Ｂａｎｄ７（受信帯域：２６２０〜２６９０ＭＨｚ）、Ｂａｎｄ３０（受信帯域：２３５０〜２３６０ＭＨｚ）、Ｂａｎｄ３８（受信帯域：２５７０〜２６２０ＭＨｚ）等に対応する弾性表面波フィルタ（ＳＡＷフィルタ）が一つのチップ（圧電基板）上に形成された、３ｉｎ３ｏｕｔトリプルＳＡＷフィルタである。
【００３７】
マルチフィルタ部２０は、図１Ａに示すように、対応する周波数帯域の異なるフィルタ３０ａ、３０ｂおよび３０ｃと、端子２１ａ、２１ｂ、２１ｃ、２１ｄ、２２ａ、２２ｂ、２２ｃおよび２２ｄとを備えている。
【００３８】
フィルタ３０ａは、例えば、Ｂａｎｄ７に対応するＳＡＷフィルタである。フィルタ３０ａは、後述するように、端子２１ａと端子２２ａとの間に少なくとも１つの直列腕共振子３２ａと少なくとも１つの並列腕共振子３４ａとを有している。フィルタ３０ａは、本発明における第２の回路素子に相当する。
【００３９】
フィルタ３０ｂは、例えば、Ｂａｎｄ３０に対応するＳＡＷフィルタである。また、フィルタ３０ｃは、例えばＢａｎｄ３８に対応するＳＡＷフィルタである。フィルタ３０ｂは、後述するように、端子２１ｂと端子２２ｃとの間に少なくとも１つの直列腕共振子３２ｂと少なくとも１つの並列腕共振子３４ｂとを有している。フィルタ３０ｂは、本発明における第１の回路素子に相当する。
【００４０】
フィルタ３０ｃは、例えば、Ｂａｎｄ３８に対応するＳＡＷフィルタである。フィルタ３０ｃは、後述するように、端子２１ｄと端子２２ｄとの間に少なくとも１つの直列腕共振子３２ｃと少なくとも１つの並列腕共振子３４ｃとを有している。
【００４１】
直列腕共振子３２ａ、３２ｂおよび３２ｃ、並びに、並列腕共振子３４ａ、３４ｂおよび３４ｃの構成は、同一である。以下、並列腕共振子３４ａの構成について説明する。
【００４２】
図１Ｂは、並列腕共振子３４ａの構成を示す概略図であり、（ａ）は平面図、（ｂ）は（ａ）に示した一点鎖線における矢視断面図である。
【００４３】
図１Ｂの（ａ）および（ｂ）に示すように、並列腕共振子３４ａは、弾性表面波共振子であり、圧電基板３４６と、櫛形形状を有するＩＤＴ（ＩｎｔｅｒＤｉｇｉｔａｌ  Ｔｒａｎｓｄｕｃｅｒ）電極３４１ａおよび３４１ｂとで構成されている。
【００４４】
圧電基板３４６は、例えば、所定のカット角で切断されたＬｉＴａＯ３の単結晶からなる。圧電基板３４６では、所定の方向に弾性表面波が伝搬する。
【００４５】
図１Ｂの（ａ）に示すように、圧電基板３４６の上には、対向する一対のＩＤＴ電極３４１ａおよび３４１ｂが形成されている。ＩＤＴ電極３４１ａは、互いに平行な複数の電極指３４２ａと、複数の電極指３４２ａを接続するバスバー電極３４４ａとで構成されている。また、ＩＤＴ電極３４１ｂは、互いに平行な複数の電極指３４２ｂと、複数の電極指３４２ｂを接続するバスバー電極３４４ｂとで構成されている。ＩＤＴ電極３４１ａとＩＤＴ電極３４１ｂとは、ＩＤＴ電極３４１ａとＩＤＴ電極３４１ｂのうちの一方の複数の電極指３４２ａのそれぞれの間に、他方の複数の電極指３４２ｂのそれぞれが配置される構成となっている。
【００４６】
また、ＩＤＴ電極３４１ａおよびＩＤＴ電極３４１ｂは、図１Ｂの（ｂ）に示すように、密着層３４７と主電極層３４８とが積層された構造となっている。
【００４７】
密着層３４７は、圧電基板３４６と主電極層３４８との密着性を向上させるための層であり、材料としては、例えば、Ｔｉが用いられる。密着層３４７の膜厚は、例えば、１２ｎｍである。
【００４８】
主電極層３４８は、材料として、例えば、Ｃｕを１％含有したＡｌが用いられる。主電極層３４８は、一種類の膜厚であり、例えば１３０ｎｍである。これにより、製造工程を簡単化することができるため、低コストを実現できる。
【００４９】
保護層３４９は、ＩＤＴ電極３４１ａおよび３４１ｂを覆うように形成されている。保護層３４９は、主電極層３４８を外部環境から保護する、周波数温度特性を調整する、および、耐湿性を高めるなどを目的とする層であり、例えば、二酸化ケイ素を主成分とする膜である。保護層３４９は、一種類の膜厚であってもよい。
【００５０】
なお、密着層３４７、主電極層３４８および保護層３４９を構成する材料は、上述した材料に限定されない。さらに、ＩＤＴ電極３４１ａおよび３４１ｂは、上記積層構造でなくてもよい。ＩＤＴ電極３４１ａおよび３４１ｂは、例えば、Ｔｉ、Ａｌ、Ｃｕ、Ｐｔ、Ａｕ、Ａｇ、Ｐｄなどの金属又は合金から構成されてもよく、また、上記の金属又は合金から構成される複数の積層体から構成されてもよい。また、保護層３４９は、形成されていなくてもよい。
【００５１】
なお、並列腕共振子３４ａの構造は、図１Ｂの（ａ）および（ｂ）に記載された構造に限定されない。例えば、ＩＤＴ電極３４１ａおよび３４１ｂは、金属膜の積層構造ではなく、金属膜の単層であってもよい。また、並列腕共振子３４ａは、ＩＤＴ電極３４１ａおよび３４１ｂを挟むように、表面波の進行方向のＩＤＴ電極３４１ａおよび３４１ｂの両側に反射器を有していてもよい。
【００５２】
また、フィルタ３０ａ、３０ｂおよび３０ｃは、少なくとも１つの直列腕共振子と少なくとも１つの並列腕共振子とによりラダー型のフィルタを構成してもよいし、ラダー型のフィルタに限らず、縦結合型のフィルタ３５（図１Ｃ参照）を含んでいてもよい。
【００５３】
図１Ｃは、縦結合型のフィルタ３５の構成の一例を示す概略平面図である。
【００５４】
縦結合型のフィルタ３５は、図１Ｃに示すように、縦結合型共振子３５２ａ〜３５２ｅと、反射器３５４ａおよび３５４ｂと、入力ポート３５６および出力ポート３５８とを備えている。
【００５５】
縦結合型共振子３５２ａ〜３５２ｅは、それぞれ、互いに対向する一対のＩＤＴ電極で構成されている。縦結合型共振子３５２ｂおよび３５２ｄは、縦結合型共振子３５２ｃを挟み込むように配置され、縦結合型共振子３５２ａおよび３５２ｅは、縦結合型共振子３５２ｂ〜３５２ｄを挟み込むように配置されている。また、縦結合型共振子３５２ａ、３５２ｃおよび３５２ｅは、入力ポート３５６と基準端子（グランド）との間に並列接続され、縦結合型共振子３５２ｂおよび３５２ｄは、出力ポート３５８と基準端子との間に並列接続されている。
【００５６】
なお、フィルタ３０ａ、３０ｂおよび３０ｃは、ＳＡＷフィルタに限らず、他のフィルタであってもよい。また、フィルタに限らず、スイッチ素子などの他の回路素子を用いてもよい。フィルタ３０ａ、３０ｂおよび３０ｃの詳細な構成および相違点については、後述する。
【００５７】
端子２１ａ、２１ｂおよび２１ｄは、スイッチ部１０の端子１２ａ、１２ｂおよび１２ｃとの間でそれぞれ信号の入力または出力が行われる端子である。つまり、端子２１ａ、２１ｂおよび２１ｄは、本発明における入出力端子に相当する。端子２１ａ、２１ｂおよび２１ｄは、いわゆるＨＯＴ端子である。また、端子２１ｃは、高周波モジュール１の実装基板（図示せず）のＧＮＤ端子に接続されている。
【００５８】
端子２２ａ、２２ｃおよび２２ｄは、マルチフィルタ部２０から後段の回路（図示せず）に接続されている。端子２２ａ、２２ｃおよび２２ｄは、マルチフィルタ部２０から後段の回路との間でそれぞれ信号の入力または出力が行われる端子である。また、端子２２ｂは、高周波モジュール１の実装基板のＧＮＤ端子に接続されている。
【００５９】
ここで、スイッチ部１０は、後述する図２Ａ等に示すように、スイッチ４０ａおよび４０ｂを有している。スイッチ部１０は、スイッチ４０ａにより端子１１ａと端子１２ａとの間を接続する。また、スイッチ部１０は、スイッチ４０ｂにより端子１１ｂと端子１２ｂとを接続する。また、スイッチ部１０は、スイッチ４０ｂにより端子１２ｂの接続先を端子１１ａに切り替えることにより、端子１１ａと端子１２ｂとを接続する。つまり、スイッチ４０ｂは、端子１２ｂの接続先を、信号の送受信用の送受信端子である端子１１ａ、または、ＧＮＤ端子である端子１１ｂに切り替える端子である。
【００６０】
図２Ａは、本実施の形態にかかる高周波モジュール１において、フィルタ３０ａを使用する場合のスイッチの接続例を示す図である。図２Ｂは、本実施の形態にかかる高周波モジュール１において、フィルタ３０ｂを使用する場合のスイッチの接続例を示す図である。
【００６１】
以下においては、フィルタ３０ａ、３０ｂおよび３０ｃをそれぞれＢａｎｄ７、Ｂａｎｄ３０、およびＢａｎｄ３８の受信フィルタとした場合を例として説明する。したがって、端子２１ａ、２１ｂおよび２１ｄは信号が入力される入力端子、端子２２ａ、２２ｃおよび２２ｄは、信号が出力される出力端子となる。
【００６２】
図３Ａは、本実施の形態にかかる高周波モジュール１において、フィルタ３０ａを使用する場合の回路構成を示す概略平面図である。図３Ｂは、本実施の形態にかかる高周波モジュール１において、フィルタ３０ｂを使用する場合の回路構成を示す概略平面図である。つまり、図３Ａおよび図３Ｂは、図２Ａおよび図２Ｂに示す回路の具体的な構成を示している。なお、図３Ｂにおいては、図面を見やすくするために、主要な直列腕共振子および並列腕共振子についてのみ符号を付し、他の直列腕共振子および並列腕共振子の符号については記載を省略している。
【００６３】
高周波モジュール１においてＢａｎｄ３０を使用する場合、図３Ａに示すように、スイッチ部１０では、スイッチ４０ａにより端子１１ａと端子１２ａとが接続される。また、スイッチ４０ｂにより、端子１１ｂと端子１２ｂとが接続される。これにより、Ｂａｎｄ３０の受信フィルタであるフィルタ３０ａ（図２Ａ参照）の端子２１ｂは、端子１２ｂおよび端子１１ｂを介してＧＮＤ端子に接続される。
【００６４】
Ｂａｎｄ７の受信フィルタは、図３Ａに示すように、三つの直列腕共振子３２ａ１、３２ａ２、３２ａ３と二つの並列腕共振子３４ａ１、３４ａ２により構成されたラダー型のフィルタと、縦結合型のフィルタ３５とを有している。Ｂａｎｄ７の受信フィルタは、端子２１ａと端子２２ａとの間に接続されている。
【００６５】
端子２１ａは入力端子であり、スイッチ部１０の端子１２ａに接続されている。端子２２ａは出力端子であり、Ｂａｎｄ７の受信フィルタより後段の回路に接続される端子である。端子２２ａは、アンテナ２から受信した信号を後段の回路に伝達する。
【００６６】
Ｂａｎｄ７の受信フィルタでは、端子２１ａ側から端子２２ａ側へと、直列腕共振子３２ａ１、並列腕共振子３４ａ１、縦結合型のフィルタ３５、直列腕共振子３２ａ２、並列腕共振子３４ａ２、直列腕共振子３２ａ３がこの順に配置されている。最も端子２１ａに近い位置に配置された並列腕共振子３４ａ１は、直列腕共振子３２ａ１と縦結合型のフィルタ３５との間に一端が接続され、後述する端子２１ｂに他端が接続されている。最も端子２２ａに近い位置に配置された並列腕共振子３４ａ２は、端子２２ａに最も近い直列腕共振子３２ａ３とこれに直列に接続された他の直列腕共振子３２ａ２との間に一端が接続され、端子２２ｂに他端が接続されている。
【００６７】
ここで、最も端子２１ａに近い位置に配置された並列腕共振子３４ａ１の他端は、Ｂａｎｄ７の受信フィルタにおいて基準電位となるべき端子に接続される端子である。同様に、最も端子２２ａに近い位置に配置された並列腕共振子３４ａ２の他端は、Ｂａｎｄ７の受信フィルタにおいて基準電位となるべき端子に接続される端子である。基準電位は、例えばＧＮＤ電位である。なお、端子２１ｂは、本発明における共通端子に相当する。
【００６８】
Ｂａｎｄ７の受信フィルタは、端子２１ｂ、端子１２ｂおよび端子１１ｂを介して、スイッチ部１０のＧＮＤ端子に接続されている。この構成により、Ｂａｎｄ７の受信フィルタは、Ｂａｎｄ７の受信信号を透過する。
【００６９】
Ｂａｎｄ３０の受信フィルタであるフィルタ３０ｂ（図２Ａ参照）は、図３Ａに示すように、六つの直列腕共振子３２ｂ１、３２ｂ２、３２ｂ３、３２ｂ４、３２ｂ５、３２ｂ６と五つの並列腕共振子３４ｂ１、３４ｂ２、３４ｂ３、３４ｂ４、３４ｂ５とにより構成されたラダー型のフィルタを有している。Ｂａｎｄ３０の受信フィルタは、端子２１ｂと端子２２ｃとの間に接続されている。
【００７０】
Ｂａｎｄ３０の受信フィルタでは、端子２１ｂ側から端子２２ｃ側へと、六つの直列腕共振子３２ｂ１、３２ｂ２、３２ｂ３、３２ｂ４、３２ｂ５、３２ｂ６のそれぞれの間に、五つの並列腕共振子３４ｂ１、３４ｂ２、３４ｂ３、３４ｂ４、３４ｂ５が接続されている。最も端子２１ｂに近い位置に配置された並列腕共振子３４ｂ１は、端子２１ｂに最も近い直列腕共振子３２ｂ１とこれに直列に接続された他の直列腕共振子３２ｂ２との間に一端が接続され、端子２１ｃに他端が接続されている。最も端子２２ｃに近い位置に配置された並列腕共振子３４ｂ５は、端子２２ｃに最も近い直列腕共振子３２ｂ６とこれに直列に接続された他の直列腕共振子３２ｂ５との間に一端が接続され、後述するＢａｎｄ３０の受信フィルタの端子２２ｂに他端が接続されている。この構成により、Ｂａｎｄ３０の受信フィルタは、Ｂａｎｄ３０の受信信号を透過する。
【００７１】
Ｂａｎｄ３８の受信フィルタであるフィルタ３０ｃ（図２Ａ参照）は、図３Ａに示すように、五つの直列腕共振子３２ｃ１、３２ｃ２、３２ｃ３、３２ｃ４、３２ｃ５と四つの並列腕共振子３４ｃ１、３４ｃ２、３４ｃ３、３４ｃ４とにより構成されたラダー型のフィルタを有している。Ｂａｎｄ３８の受信フィルタは、端子２１ｄと端子２２ｄとの間に接続されている。
【００７２】
Ｂａｎｄ３８の受信フィルタでは、端子２１ｄ側から端子２２ｄ側へと、五つの直列腕共振子３２ｃ１、３２ｃ２、３２ｃ３、３２ｃ４、３２ｃ５のそれぞれの間に、四つの並列腕共振子３４ｃ１、３４ｃ２、３４ｃ３、３４ｃ４が接続されている。最も端子２１ｄに近い位置に配置された並列腕共振子３４ｃ１は、端子２１ｄに最も近い直列腕共振子３２ｃ１とこれに直列に接続された他の直列腕共振子３２ｃ２との間に一端が接続され、端子２１ｃに他端が接続されている。最も端子２２ｄに近い位置に配置された並列腕共振子３４ｃ４は、端子２２ｄに最も近い直列腕共振子３２ｃ５とこれに直列に接続された他の直列腕共振子３２ｃ４との間に一端が接続され、端子２１ｃに他端が接続されている。この構成により、Ｂａｎｄ３８の受信フィルタは、Ｂａｎｄ３８の受信信号を透過する。
【００７３】
なお、このとき、高周波モジュール１は、同時にＢａｎｄ３８を使用する構成であってもよい。
【００７４】
また、高周波モジュール１においてＢａｎｄ３０を使用する場合、図２Ｂ及び図３Ｂに示すように、スイッチ部１０は、端子１１ａと端子１２ａとを接続せず開放状態とする。また、スイッチ４０ｂにより端子１１ａと端子１２ｂとを接続する。これにより、Ｂａｎｄ３０の受信フィルタの端子２１ｂには、アンテナ２から端子１２ｂおよび端子１１ａを介してＢａｎｄ３０の信号が入力される。
【００７５】
［２．高周波モジュールの周波数特性］
以下、図３Ａおよび図３Ｂに示した高周波モジュール１の周波数特性について、比較例にかかる高周波モジュールと比較して説明する。
【００７６】
図４Ａおよび図４Ｂは、比較例にかかる高周波モジュールの回路構成を示す概略平面図である。比較例にかかる高周波モジュールは、図４Ａおよび図４Ｂに示すように、スイッチ部１０と、マルチフィルタ部２０ａとを備えている。マルチフィルタ部２０ａは、本実施の形態にかかる高周波モジュール１のマルチフィルタ部２０と同様、Ｂａｎｄ７、Ｂａｎｄ３０、Ｂａｎｄ３８が一つの圧電基板上に形成された、３ｉｎ３ｏｕｔトリプルＳＡＷフィルタである。
【００７７】
マルチフィルタ部２０ａでは、図４Ａおよび図４Ｂに破線で示すように、Ｂａｎｄ７の受信フィルタにおいて端子２１ａに最も近い位置に配置された並列腕共振子３４ａ１は、Ｂａｎｄ３０の受信フィルタの端子２１ｂに接続されておらず、端子２２ｂに接続されている。これに対し、本実施の形態にかかるマルチフィルタ部２０では、図３Ａおよび図３Ｂに示したように、Ｂａｎｄ７の受信フィルタにおいて端子２１ａに最も近い位置に配置された並列腕共振子３４ａ１は、Ｂａｎｄ３０の受信フィルタの端子２１ｂに接続されている。
【００７８】
図５は、本実施の形態にかかる高周波モジュール１および比較例にかかる高周波モジュールのＢａｎｄ７に関する通過特性を示す図である。図５において、（ａ）は周波数２２００ＭＨｚから２８００ＭＨｚまで、（ｂ）は周波数３０ＭＨｚから８０００ＭＨｚまでの通過特性を示している。図５では、比較例にかかる高周波モジュールの通過特性を実線、本実施の形態にかかる高周波モジュール１の通過特性を実施例１として破線で示している。
【００７９】
Ｂａｎｄ７の通過帯域は、受信帯域が２６２０〜２６９０ＭＨｚ、送信帯域が２５００〜２５７０ＭＨｚである。高周波モジュール１を受信フィルタとして使用する場合、高周波モジュール１のＢａｎｄ７に関する通過特性は、図５の（ａ）に示すように、受信帯域内では、比較例にかかる高周波モジュールのＢａｎｄ７に関する通過特性に対して挿入損失の変化は少なく、良好な特性を示している。また、図５の（ａ）および（ｂ）に示すように、受信帯域外では、高周波モジュール１のＢａｎｄ７に関する通過特性は、比較例にかかる高周波モジュールのＢａｎｄ７に関する通過特性と比較して減衰量が増加している。例えば、図５の（ａ）においてＢ７Ｔｘで示される送信帯域においては、高周波モジュール１のＢａｎｄ７に関する通過特性は、比較例にかかる高周波モジュールのＢａｎｄ７に関する通過特性と比較して減衰量が９ｄＢ程度増加している。すなわち、高周波モジュール１のＢａｎｄ７に関する通過特性は、比較例にかかる高周波モジュールのＢａｎｄ７に関する通過特性と比較して良好な特性が得られている。これは、Ｂａｎｄ７に対応するフィルタ３０ａにおいて、端子２１ｂがスイッチ部１０の端子１２ｂおよび１１ｂを介してＧＮＤ端子に接続されたことにより、最も端子２１ａに近い位置に配置された並列腕共振子３４ａ１のＧＮＤが、同じフィルタ回路の他のＧＮＤとチップ上で分離されることとなり、ＧＮＤ端子に生じるインダクタンス成分が小さくなったためである。したがって、高周波モジュール１の構成とすることにより、マルチフィルタ部２０において総端子数を増加することなく、Ｂａｎｄ７に対応するフィルタ３０ａの通過特性を向上することができる。
【００８０】
また、図６は、本実施の形態にかかる高周波モジュール１および比較例にかかる高周波モジュールにおいて、図３Ｂに示すように、端子２１ａに接続する端子１２ａを開放状態とし、端子１１ａと１２ｂを接続した場合のＢａｎｄ３０に関する通過特性を示す図である。図６において、（ａ）は周波数２２００ＭＨｚから２８００ＭＨｚまで、（ｂ）は周波数３０ＭＨｚから８０００ＭＨｚまでの通過特性を示している。図７は、本実施の形態にかかる高周波モジュール１および比較例にかかる高周波モジュールにおいて、端子２１ａを開放状態とした場合のＢａｎｄ３０に関する反射特性を示す図である。図７において、（ａ）は入力側の反射特性を、（ｂ）は出力側の反射特性を示している。また、図６および図７では、比較例にかかる高周波モジュールの通過特性および反射特性を実線、本実施の形態にかかる高周波モジュール１の通過特性および反射特性を実施例１として破線で示している。
【００８１】
Ｂａｎｄ３０の通過帯域は、受信帯域が２３５０〜２３６０ＭＨｚ、送信帯域が２３０５〜２３１５ＭＨｚである。高周波モジュール１を受信フィルタとして使用する場合、高周波モジュール１のＢａｎｄ３０に関する通過特性は、図６の（ａ）に示すように、Ｂａｎｄ３０の受信帯域内では、比較例にかかる高周波モジュールのＢａｎｄ３０に関する通過特性に対して、挿入損失が０．１ｄＢ程度悪化している。これは入力端のインピーダンスのずれによる。
【００８２】
また、図７の（ａ）および（ｂ）に示すように、高周波モジュール１のフィルタ３０ｂでは、比較例にかかるフィルタ３０ｂと比較して、入力端のインピーダンスがずれている（変化している）ことがわかる。これは、Ｂａｎｄ３０に対応するフィルタ３０ｂの端子２１ｂ側に、フィルタ３０ａの並列腕共振子３４ａ１および直列腕共振子３２ａ１が、フィルタ３０ｂに対して並列に接続されたため、入力端子となる端子２１ｂのインピーダンスが容量性に変化したことによる。この場合、並列腕共振子３４ａ１と直列腕共振子３２ａ１が並列接続されることを前提にフィルタ３０ｂを設計しておけばよい。あるいは、端子２１ｂが接続されているノードとＧＮＤとの間にインダクタを設けることにより、入力端のインピーダンスのずれを解消することができる。例えば、端子２１ｂとＧＮＤとの間に１０ｎＨのインダクタを設ける。これにより、Ｂａｎｄ３０の帯域内の通過特性を回復させることができる。なお、端子２１ｂに代えて、端子２１ｂと接続される端子１１ａとＧＮＤとの間にインダクタを設けてもよい。
【００８３】
［３．効果等］
以上、本実施の形態にかかる高周波モジュールによると、フィルタ３０ａの最も端子２１ａに近い位置に配置された並列腕共振子３４ａ１の基準電位となるべき端子を、共通端子である端子２１ｂに接続している。これにより、フィルタ３０ａの最も端子２１ａに近い位置に配置された並列腕共振子３４ａ１の基準電位となるべき端子を、端子２１ｂ、端子１２ｂおよび端子１１ｂを介してＧＮＤ端子に接続することができるため、フィルタ３０ａのフィルタ特性を良好な特性とすることができる。
【００８４】
また、フィルタ３０ａの最も端子２１ａに近い位置に配置された並列腕共振子３４ａ１の基準電位となるべき端子をＧＮＤ端子に接続するために新たに端子を設ける必要がないので、１つのチップにおける端子の数を変更することがない。したがって、高周波モジュールが大型になるのを抑制し、小型化を実現することができる。
【００８５】
なお、上述した実施の形態では、マルチフィルタ部２０の構成として三つのフィルタ３０ａ、３０ｂおよび３０ｃを備えたトリプルフィルタの例を挙げているが、マルチフィルタ部２０は、二つのフィルタを備えたデュアルフィルタであってもよいし、四つ以上のフィルタを備えてもよい。また、フィルタ３０ａ、３０ｂおよび３０ｃとしてＳＡＷフィルタの例を挙げたが、ＢＡＷフィルタ（バルク弾性波フィルタ）であってもよいし、それ以外のフィルタ構造であってもよい。
【００８６】
（実施の形態２）
次に、実施の形態２について説明する。本実施の形態にかかる高周波モジュールが実施の形態１にかかる高周波モジュール１と異なる点は、Ｂａｎｄ３０を使用するとき、端子２１ａをＧＮＤ端子に接続する点である。
【００８７】
図８は、本実施の形態にかかる高周波モジュールにおいて、Ｂａｎｄ３０を使用する場合の回路構成を示す概略平面図である。
【００８８】
図８に示すように、本実施の形態にかかる高周波モジュールにおいて、マルチフィルタ部２０の構成は、実施の形態１にかかる高周波モジュール１の構成と同様である。本実施の形態にかかる高周波モジュールでは、Ｂａｎｄ３０を使用するとき、スイッチ部１０の端子１２ｂと端子１１ａとを接続する。これにより、Ｂａｎｄ３０に対応するフィルタであるマルチフィルタ部２０のフィルタ３０ｂの端子２１ｂが、アンテナ２からの信号が入力される端子１１ａに接続される。
【００８９】
また、スイッチ部１０は、端子１２ａを端子１１ｂに接続する。これにより、Ｂａｎｄ７に対応するフィルタ３０ａの端子２１ａが、端子１２ａおよび端子１１ｂを介してスイッチ部１０のＧＮＤ端子に接続される。また、端子１１ａと端子１２ａとは接続していない。
【００９０】
このときの、本実施の形態にかかる高周波モジュールの周波数特性について、比較例にかかる高周波モジュールと比較して説明する。
【００９１】
図９は、本実施の形態にかかる高周波モジュールにおいて、端子２１ａをＧＮＤ端子に接続した場合のＢａｎｄ３０に関する通過特性を示す図である。図９において、（ａ）は周波数２２００ＭＨｚから２８００ＭＨｚまで、（ｂ）は周波数３０ＭＨｚから８０００ＭＨｚまでの通過特性を示している。図１０は、本実施の形態にかかる高周波モジュールにおいて、フィルタ３０ａの端子をＧＮＤ端子に接続した場合のＢａｎｄ３０に関する反射特性を示す図である。図１０において、（ａ）は入力側の反射特性を、（ｂ）は出力側の反射特性を示している。また、図９および図１０では、比較例にかかる高周波モジュールの通過特性および反射特性を実線、本実施の形態にかかる高周波モジュールの通過特性および反射特性を実施例２として破線で示している。
【００９２】
フィルタ３０ａの端子２１ａをスイッチ部１０のＧＮＤ端子に接続して本実施の形態にかかる高周波モジュールを受信フィルタとして使用する場合、本実施の形態にかかる高周波モジュールのＢａｎｄ３０に関する通過特性は、図９の（ａ）に示すように、Ｂａｎｄ３０の受信帯域内では、比較例にかかる高周波モジュールのＢａｎｄ３０に関する通過特性に対して、挿入損失が０．５ｄＢ程度悪化している。これは、実施の形態１においてフィルタ３０ａの端子２１ａを開放状態とした場合よりも悪化しているともいえる。
【００９３】
しかし、図９の（ａ）および（ｂ）に示すように、Ｂａｎｄ３０の受信帯域外では新たに減衰極が発生している。例えば、図９の（ａ）に示すように、Ｂａｎｄ７の送信帯域内に含まれる２５６５ＭＨｚ程度の周波数において減衰極が発生している。このときの減衰量は、実施の形態１においてフィルタ３０ａの端子２１ａを開放状態とした場合よりも増加している。したがって、実施の形態１においてフィルタ３０ａの端子２１ａを開放状態とした場合よりもＢａｎｄ７の送信帯域における減衰量は増加し、Ｂａｎｄ３０に対応するフィルタ３０ｂの通過特性は向上しているといえる。また、図９の（ｂ）に示すように、本実施の形態にかかる高周波モジュールのＢａｎｄ３０に関する通過特性は、フィルタ３０ａの端子２１ａを開放状態とした場合よりも、全体的に比較例にかかる高周波モジュールに関する通過特性との差が小さい。したがって、フィルタ３０ｂの受信帯域における通過特性は向上しているといえる。
【００９４】
また、図１０の（ａ）および（ｂ）に示すように、高周波モジュール１のフィルタ３０ｂでは、比較例にかかるフィルタ３０ｂと比較して、入力端のインピーダンスがずれている（変化している）ことがわかる。入力端のインピーダンスのずれの量は、実施の形態１においてフィルタ３０ａの端子２１ａを開放状態とした場合よりも大きくなっている。これは、フィルタ３０ａの端子２１ａをＧＮＤ端子に接続したことにより、入力端子となる端子２１ｂのインピーダンスの容量性への変化が大きくなったためである。
【００９５】
この場合、並列腕共振子３４ａ１と直列腕共振子３２ａ１が並列接続され、端子２１ａがＧＮＤ端子に接続されることを前提にフィルタ３０ｂを設計しておけばよい。あるいは、端子２１ｂが接続されているノードとＧＮＤとの間にインダクタを設けることにより入力端のインピーダンスのずれを解消することができる。例えば、端子２１ｂとＧＮＤとの間に５ｎＨのインダクタを設ける。これにより、Ｂａｎｄ３０の帯域内の透過特性を回復させることができる。なお、端子２１ｂに代えて、端子２１ｂと接続される端子１１ａとＧＮＤとの間にインダクタを設けてもよい。
【００９６】
以上、フィルタ３０ａの端子２１ａをスイッチ部１０のＧＮＤ端子に接続した場合と、フィルタ３０ａの端子２１ａを開放状態とした場合について、フィルタ３０ｂの通過特性を比較すると、以下の特徴がある。
【００９７】
フィルタ３０ａの端子２１ａをスイッチ部１０のＧＮＤ端子に接続した場合、フィルタ３０ａの端子２１ａを開放状態とした場合と比較して、Ｂａｎｄ７の送信帯域における通過特性が向上する。また、Ｂａｎｄ７の受信帯域についても、フィルタ３０ａの端子２１ａをスイッチ部１０のＧＮＤ端子に接続した場合、フィルタ３０ａの端子２１ａを開放状態とした場合と比較して通過特性の悪化量は小さく、受信帯域における通過特性はさらに向上する。
【００９８】
また、入力端のインピーダンスのずれについては、フィルタ３０ａの端子２１ａをスイッチ部１０のＧＮＤ端子に接続した場合、フィルタ３０ａの端子２１ａを開放状態とした場合よりも、インピーダンスのずれの量が大きくなっている。しかし、あらかじめこのようなインピーダンスのずれを織り込んでフィルタ３０ｂを設計しておくか、あるいは、入力端のインピーダンスのずれに関しては、端子２１ｂが接続されているノードとＧＮＤとの間にインダクタを設けることにより、フィルタ３０ｂに関しては良好な通過特性が得られる。
【００９９】
したがって、本実施の形態にかかる高周波モジュールによると、Ｂａｎｄ３０の特性を悪化させることなくＢａｎｄ７の特性を向上し、マルチフィルタ部２０における端子数を変更せずにフィルタ３０ａを複数のＧＮＤ端子に接続することができる。よって、本実施の形態にかかる高周波モジュールの構成は、良好なフィルタ特性と小型化とを両立するのに有用な構成であるといえる。
【０１００】
（変形例）
以下、上述した実施の形態１および２の変形例について説明する。図１１は、本変形例にかかる高周波モジュールにおいて、Ｂａｎｄ７を使用する場合の回路構成を示す概略平面図である。
【０１０１】
上述した実施の形態では、スイッチ部１０は、Ｂａｎｄ７、Ｂａｎｄ３０およびＢａｎｄ３８の全てに対応する端子１１ａ、１１ｂ、１２ａ、１２ｂおよび１２ｃを有する構成であったが、スイッチ部１０の構成はこれに限られない。例えば、以下に説明するように、接続先を切り替える必要のないスイッチについては、他のスイッチと同一のチップに形成しなくてもよい。
【０１０２】
図１１に示すように、本変形例にかかるスイッチ部１０ａは、端子１１ａおよび１１ｂと、端子１２ａおよび１２ｂとを有している。スイッチ部１０ａは、端子１２ｃを端子１１ａ、１１ｂ、１２ａおよび１２ｂと同一チップ上に含んでいない点が、実施の形態１に示したスイッチ部１０と異なっている。
【０１０３】
図１１に示す高周波モジュールでは、Ｂａｎｄ３８に対応するフィルタ３０ｃの端子２１ｄは、アンテナ２との間で信号の送受信を行う送受信端子とＧＮＤ端子との切り替えを行わないので、スイッチを切り替える必要がない。したがって、スイッチ部１０ａには、切り替える必要のあるスイッチ４０ａおよび４０ｂが接続される端子１１ａ、１１ｂ、１２ａおよび１２ｂのみ設けられている。これにより、スイッチ部１０ａを小型化することができる。
【０１０４】
（実施の形態３）
以下、実施の形態３について説明する。図１２は、本実施の形態にかかる高周波モジュールにおいて、Ｂａｎｄ３８を使用する場合の回路構成を示す概略平面図である。図１３は、本実施の形態にかかる高周波モジュールにおいて、Ｂａｎｄ３０を使用する場合の回路構成を示す概略平面図である。
【０１０５】
上述した実施の形態では、マルチフィルタ部２０は、共通端子として端子２１ｂのみを有する構成であったが、これに限らず、マルチフィルタ部２０は、複数の共通端子を有する構成であってもよい。
【０１０６】
本実施の形態にかかる高周波モジュールは、図１２に示すように、スイッチ部１０と、マルチフィルタ部２０ｂと、スイッチ部５０とを備えている。
【０１０７】
マルチフィルタ部２０ｂは、実施の形態１に示した高周波モジュール１と同様、フィルタ３０ａ、３０ｂおよび３０ｃを有している。端子１１ａと端子１２ｃとは、スイッチ４０ｃにより接続されている。フィルタ３０ａおよびフィルタ３０ｂは、それぞれ本発明における第２の回路素子および第１の回路素子に相当する。また、端子２１ｂは、共通端子に相当する。また、マルチフィルタ部２０ｂにおいて、端子２２ａ、２２ｃ、２２ｄは、本発明の入出力端子に相当する。端子２２ａ、２２ｃおよび２２ｄは、いわゆるＨＯＴ端子である。
【０１０８】
また、図１２に破線で示すように、フィルタ３０ｃの並列腕共振子３４ｃ４および３４ｃ３の基準電位となるべき端子が端子２２ｃに接続されている。つまり、端子２２ｃは、本発明における共通端子に相当する。この場合、フィルタ３０ｃは、本発明における第２の回路素子に相当する。したがって、マルチフィルタ部２０ｂは、フィルタ３０ａとフィルタ３０ｂ、フィルタ３０ｂとフィルタ３０ｃ、という異なる組み合わせのフィルタで構成されるフィルタの組を、二つ有している。また、本発明の第１の回路素子に相当するフィルタ３０ｂは、共通端子として端子２１ｂと端子２２ｃとを有している。
【０１０９】
スイッチ部５０は、端子５１ａ、５１ｂ、５１ｃ、５２ａおよび５２ｂを備えている。端子５１ａ、５１ｂおよび５１ｃは、マルチフィルタ部２０ｂの端子２２ａ、２２ｃおよび２２ｄに接続されており、マルチフィルタ部２０ｂと後段の回路（図示せず）との間で信号の受信または送信が行われる端子である。つまり、端子５１ａ、５１ｂおよび５１ｃは、本発明における送受信端子に相当する。
【０１１０】
端子５２ａおよび５２ｂは、マルチフィルタ部２０ｂの後段の回路（図示せず）に接続されており、後段の回路に信号を出力する出力端子である。また、端子５２ｂは、高周波モジュールの実装基板（図示せず）ＧＮＤ端子に接続されている。
【０１１１】
また、スイッチ部５０は、スイッチ６０ａ、６０ｂを有している。スイッチ部５０は、スイッチ６０ａにより端子５１ｃと端子５２ａとの間を接続する。また、スイッチ部５０は、スイッチ６０ｂにより端子５１ｂと端子５２ａとを接続する。また、スイッチ部５０は、スイッチ６０ｂにより端子５１ｂの接続先を端子５２ｂに切り替えることにより、端子５１ｂと端子５２ｂとを接続する。つまり、スイッチ６０ｂは、端子５１ｂの接続先を、端子５２ａまたはＧＮＤ端子である端子５２ｂに切り替える端子である。
【０１１２】
この構成により、本実施の形態にかかる高周波モジュールでは、スイッチ部５０の切り替えにより、Ｂａｎｄ３０とＢａｎｄ３８とを切り替えて使用することができる。
【０１１３】
Ｂａｎｄ３８の通過帯域は、受信帯域および送信帯域共に２５７０〜２６２０ＭＨｚである。Ｂａｎｄ３８を使用する場合、図１２に示すように、スイッチ部５０では、スイッチ６０ａにより端子５１ｃと端子５２ａとが接続される。また、スイッチ６０ｂにより、端子５１ｂと端子５２ｂとが接続される。これにより、フィルタ３０ｃの端子２２ｃは、端子５１ｂおよび端子５２ｂを介してＧＮＤ端子に接続される。この構成により、フィルタ３０ｃは、Ｂａｎｄ３８の送受信信号を透過する。なお、Ｂａｎｄ３８に対応するフィルタ３０ｃは、本発明における第２の回路素子に相当する。
【０１１４】
また、Ｂａｎｄ３０を使用する場合、図１３に示すように、スイッチ部５０は、端子５１ｃと端子５２ｂとを接続せず開放状態とする。また、スイッチ６０ｂにより端子５１ｂと端子５２ａとを接続する。これにより、フィルタ３０ｂの端子２２ｃから後段の回路へ、端子５１ｂおよび端子５２ａを介してＢａｎｄ３０の信号が出力される。なお、Ｂａｎｄ３０に対応するフィルタ３０ｂは、本発明における第１の回路素子に相当する。
【０１１５】
なお、Ｂａｎｄ３０を使用する場合、スイッチ部５０は、図１２に示したスイッチ（図示せず）により端子５１ｃを端子５２ｂに接続してもよい。これにより、フィルタ３０ｃの並列腕共振子３４ｃ４および直列腕共振子３２ｃ５をＧＮＤ端子に接続することができる。この構成によれば、本実施の形態にかかる高周波モジュールは、実施の形態２にかかる高周波モジュールと同様、Ｂａｎｄ３０の特性を悪化させずにＢａｎｄ３８の特性を向上し、マルチフィルタ部２０ｂにおける端子数を変更せずにフィルタ３０ｃを複数のＧＮＤ端子に接続することができる。よって、より良好なフィルタ特性と小型化とを両立することができる。
【０１１６】
なお、本実施の形態にかかる高周波モジュールでは、マルチフィルタ部２０ｂの入力側および出力側の両方にスイッチ部１０または５０が設けられていたが、スイッチ部の配置はこれに限らず、アンテナ２と反対側のマルチフィルタ部２０ｂの入出力端子（端子２２ａ、２２ｂ、２２ｃおよび２２ｄ）のみにスイッチ部５０を配置してもよい。
【０１１７】
（その他の実施の形態）
なお、本発明は、上述した実施の形態に記載した構成に限定されるものではなく、例えば以下に示す変形例のように、適宜変更を加えてもよい。
【０１１８】
例えば、上述した実施の形態では、フィルタ３０ａ、３０ｂおよび３０ｃは、それぞれＢａｎｄ７、Ｂａｎｄ３０およびＢａｎｄ３８に対応するフィルタとしたが、これに限らず、フィルタ３０ａ、３０ｂおよび３０ｃはその他の周波数帯域に対応するフィルタであってもよい。
【０１１９】
また、上述した実施の形態では、マルチフィルタ部２０の構成として三つのフィルタ３０ａ、３０ｂおよび３０ｃを備えたトリプルフィルタの例を挙げているが、マルチフィルタ部２０は、二つのフィルタを備えたデュアルフィルタであってもよいし、四つ以上のフィルタであってもよい。
【０１２０】
また、フィルタ３０ａ、３０ｂおよび３０ｃの構成は、上述した構成に限らず、並列腕共振子と直列腕共振子の個数、組み合わせはどのようなものであってもよい。例えば、並列腕共振子と直列腕共振子とを少なくとも一つずつ組み合わせたラダー型のフィルタであってもよいし、ラダー型のフィルタと縦結合型のフィルタとを組み合わせてもよい。
【０１２１】
また、フィルタ３０ａ、３０ｂおよび３０ｃとしてＳＡＷフィルタの例を挙げたが、ＢＡＷであってもよいし、それ以外のフィルタ構造であってもよい。また、フィルタ構造に限らず、スイッチ素子などの他の回路素子を用いてもよい。
【０１２２】
また、上述した実施の形態では、スイッチ部１０は、Ｂａｎｄ７、Ｂａｎｄ３０およびＢａｎｄ３８の全てに対応する端子１１ａ、１１ｂ、１２ａ、１２ｂおよび１２ｃが同一のチップ上に配置された構成としたが、スイッチ部１０の構成はこれに限られない。例えば、接続先を切り替える必要のないスイッチについては、他のスイッチと同一のチップに形成しなくてもよい。
【０１２３】
その他、上述の実施の形態及び変形例に対して当業者が思いつく各種変形を施して得られる形態、又は、本発明の趣旨を逸脱しない範囲で上述の実施の形態及び変形例における構成要素及び機能を任意に組み合わせることで実現される形態も本発明に含まれる。
【産業上の利用可能性】
【０１２４】
本発明は、複数のフィルタを備えた高周波モジュールを利用したマルチプレクサ、マルチフィルタ、送信装置、受信装置等の通信機器等に利用することができる。
【符号の説明】
【０１２５】
１  高周波モジュール
２  アンテナ
１０、１０ａ、５０  スイッチ部
１１ａ、５２ａ、５２ｂ  端子（送受信端子）
１１ｂ、１２ａ、１２ｂ、１２ｃ、５１ａ、５１ｂ、５１ｃ  端子
２０、２０ａ、２０ｂ  マルチフィルタ部（マルチフィルタ）
２１ａ、２１ｃ、２１ｄ、２２ａ、２２ｂ、２２ｄ  端子（入出力端子）
２１ｂ、２２ｃ  端子（共通端子）
３０ａ  フィルタ（第２の回路素子）
３０ｂ  フィルタ（第１の回路素子）
３０ｃ  フィルタ（第２の回路素子）
３２ａ、３２ａ１、３２ａ２、３２ａ３、３２ｂ、３２ｂ１、３２ｂ２、３２ｂ３、３２ｂ４、３２ｂ５、３２ｂ６、３２ｃ、３２ｃ１、３２ｃ２、３２ｃ３、３２ｃ４、３２ｃ５  直列腕共振子
３４ａ、３４ａ１、３４ａ２、３４ｂ、３４ｂ１、３４ｂ２、３４ｂ３、３４ｂ４、３４ｂ５、３４ｃ、３４ｃ１、３４ｃ２、３４ｃ３、３４ｃ４  並列腕共振子
３５  縦結合型のフィルタ
４０ａ、４０ｂ、４０ｃ、６０ａ、６０ｂ  スイッチ
３４１ａ、３４１ｂ  ＩＤＴ電極
３４２ａ、３４２ｂ  電極指
３４４ａ、３４４ｂ  バスバー電極
３４６  圧電基板
３４７  密着層
３４８  主電極層
３４９  保護層
３５２ａ、３５２ｂ、３５２ｃ、３５２ｄ、３５２ｅ  縦結合型共振子
３５６  入力ポート
３５８  出力ポート
【図１Ａ】
0006635198.tif 000002
【図１Ｂ】
0006635198.tif 000003
【図１Ｃ】
0006635198.tif 000004
【図２Ａ】
0006635198.tif 000005
【図２Ｂ】
0006635198.tif 000006
【図３Ａ】
0006635198.tif 000007
【図３Ｂ】
0006635198.tif 000008
【図４Ａ】
0006635198.tif 000009
【図４Ｂ】
0006635198.tif 000010
【図５】
0006635198.tif 000011
【図６】
0006635198.tif 000012
【図７】
0006635198.tif 000013
【図８】
0006635198.tif 000014
【図９】
0006635198.tif 000015
【図１０】
0006635198.tif 000016
【図１１】
0006635198.tif 000017
【図１２】
0006635198.tif 000018
【図１３】
0006635198.tif 000019